(57)【要約】【課題】  電子デバイスを効果的に冷却する。【解決手段】  熱分布検出部１７８は、電子デバイス２００の表面の熱分布状態を検出する。噴射制御部１６０は、この検出された熱分布状態に応じて、冷却すべき位置を特定する。ノズル選択部１８０は、その位置に対応した冷却ノズルを選択する。噴射時間演算部１６８は、冷却ノズルの冷媒噴射時間やタイミングを演算する。噴射制御部１６０の指示をうけ、駆動ユニット１８２はノズルユニット１８４を駆動することにより、冷媒が電子デバイス２００に噴射される。【選択図】        図８
2005175398.tif 000002
【特許請求の範囲】
【請求項１】
電子デバイスの表面に対向するよう近接配置された複数の冷却ノズルを有するノズルユニットと、
前記ノズルユニットに導入された冷媒に作用し、当該冷媒を前記冷却ノズルから噴射せしめる駆動ユニットと、
前記駆動ユニットによる噴射駆動能力を制御する噴射駆動制御部と、
を備えることを特徴とする電子デバイス冷却装置。
【請求項２】
前記ノズルユニットは、主ノズル群と副ノズル群を備え、
前記主ノズル群と前記副ノズル群はともに、格子状に配置された複数の冷却ノズルを有し、
前記主ノズル群と前記副ノズル群は前記電子デバイスの表面に水平な方向においては、それぞれのノズル群をずらして配置したことを特徴とする請求項１に記載の電子デバイス冷却装置。
【請求項３】
前記主ノズル群と前記副ノズル群は前記電子デバイスの表面に垂直な方向においては段違いに置かれることを特徴とする請求項２に記載の電子デバイス冷却装置。
【請求項４】
前記電子デバイスの表面における熱分布状態を検知する熱分布検出センサを更に備え、
前記噴射駆動制御部は、前記検知した熱分布状態に応じて、前記駆動ユニットを制御することを特徴とする請求項１に記載の電子デバイス冷却装置。
【請求項５】
前記噴射駆動制御部は、更に、前記検知した熱分布状態に応じて、前記駆動ユニットが前記冷却ノズルに冷媒を噴射せしめる冷媒噴射時間を制御することを特徴とする請求項４に記載の電子デバイス冷却装置。
【請求項６】
前記噴射駆動制御部は、最も冷却したい位置に対応する冷却ノズルから所期の方向に向けて順に冷却ノズルを噴射せしめるよう前記駆動ユニットを制御することを特徴とする請求項１から５のいずれかに記載の電子デバイス冷却装置。
【請求項７】
前記噴射駆動制御部は、前記所期の方向に向けて冷媒の脈流を形成させるよう前記駆動ユニットを制御することを特徴とする請求項６に記載の電子デバイス冷却装置。
【請求項８】
前記噴射駆動制御部は、前記形成した冷媒の脈流を、排熱孔に向かうよう、前記駆動ユニットを制御することを特徴とする請求項７に記載の電子デバイス冷却装置。
【請求項９】
前記電子デバイスの表面における熱分布状態を予測する熱分布予測部を更に備え、
前記噴射駆動制御部は、前記予測した熱分布状態に応じて、前記駆動ユニットを制御することを特徴とする請求項１から４のいずれかに記載の電子デバイス冷却装置。
【請求項１０】
前記熱分布予測部は、前記電子デバイスが実行すべき内容に応じて、前記熱分布状態を予測することを特徴とする請求項９に記載の電子デバイス冷却装置。
【請求項１１】
電子デバイスの表面に対向するよう近接配置された複数の冷却ノズルを有するノズルユニットと、
前記ノズルユニットに導入された冷媒に作用し、前記冷却ノズルごとに当該冷媒を噴射せしめる駆動ユニットと、
前記電子デバイスの表面における熱分布状態を検知する熱分布検出センサと、
前記検知した熱分布状態に応じて、冷却すべき位置を特定し、前記特定した位置に対応した冷却ノズルを選択するノズル選択部と、
前記選択した冷却ノズルについて、前記駆動ユニットにより冷媒を噴射せしめる噴射駆動制御部と、
を備えることを特徴とする電子デバイス冷却装置。
【請求項１２】
前記検知した熱分布状態に応じて、前記選択した冷却ノズルの冷媒噴射時間を計算する噴射時間計算部を更に備え、
前記噴射駆動制御部は、前記選択した冷却ノズルについて、前記計算した冷媒噴射時間、前記駆動ユニットにより冷媒を噴射せしめることを特徴とする請求項１１に記載の電子デバイス冷却装置。
【請求項１３】
前記検知した熱分布状態に応じて、前記選択した冷却ノズルの冷媒噴射タイミングを計算する噴射タイミング計算部を更に備え、
前記噴射駆動制御部は、前記選択した冷却ノズルについて、前記計算した冷媒噴射タイミングに応じて、前記駆動ユニットにより冷媒を噴射せしめることを特徴とする請求項１１に記載の電子デバイス冷却装置。
【請求項１４】
複数の冷却ノズルに冷媒が導入されるよう冷媒導入機構を制御するステップと、
前記冷却ノズルに近接配置された電子デバイスの表面に、前記冷媒を導入された冷却ノズルから冷媒を噴射せしめるよう冷媒噴射機構を制御するステップと、
を含むことを特徴とする電子デバイス冷却方法。
【請求項１５】
複数の冷却ノズルに冷媒が導入されるよう冷媒導入機構を制御するステップと、
電子デバイスの表面における熱分布状態を熱センサの出力値により検知するステップと、
前記検知した熱分布状態に応じて、前記電子デバイスの表面の冷却すべき位置を特定するステップと、
冷却ノズルの配置に関するデータに基づいて、前記特定した位置に対応した冷却ノズルを選択するステップと、
前記選択した冷却ノズルから冷媒を噴射せしめるよう冷媒噴射機構を制御するステップと、
を含むことを特徴とする電子デバイス冷却方法。
【請求項１６】
前記検知した熱分布状態に応じて、前記選択した冷却ノズルの冷媒噴射時間を計算するステップを更に含むことを特徴とする請求項１５に記載の電子デバイス冷却方法。
【請求項１７】
前記検知した熱分布状態に応じて、前記選択した冷却ノズルの冷媒噴射タイミングを計算するステップを更に含むことを特徴とする請求項１５に記載の電子デバイス冷却方法。
【請求項１８】
複数の冷却ノズルに冷媒が導入されるよう冷媒導入機構を制御する機能と、
前記冷却ノズルに近接配置された電子デバイスの表面に、前記冷媒を導入された冷却ノズルから冷媒を噴射せしめるよう冷媒噴射機構を制御する機能と、
をコンピュータに発揮させることを特徴とする電子デバイス冷却制御プログラム。
【請求項１９】
複数の冷却ノズルに冷媒が導入されるよう冷媒導入機構を制御する機能と、
電子デバイスの表面における熱分布状態情報を熱センサの出力値により取得する機能と、
前記取得した熱分布状態情報に応じて、前記電子デバイスの表面の冷却すべき位置を特定する機能と、
冷却ノズルの配置に関するデータに基づいて、前記特定した位置に対応した冷却ノズルを選択する機能と、
前記選択した冷却ノズルから冷媒を噴射せしめるよう冷媒噴射機構を制御する機能と、
をコンピュータに発揮させることを特徴とする電子デバイス冷却制御プログラム。
【請求項２０】
前記取得した熱分布状態情報に応じて、前記選択した冷却ノズルの冷媒噴射時間を計算する機能を更に備え、
前記冷媒噴射機構は、前記計算した冷媒噴射時間に応じて冷媒を噴射せしめるよう制御されることを特徴とする請求項１９に記載の電子デバイス冷却制御プログラム。
【請求項２１】
前記取得した熱分布状態情報に応じて、前記選択した冷却ノズルの冷媒噴射タイミングを計算する機能を更に備え、
前記冷媒噴射機構は、前記計算した冷媒噴射タイミングに応じて冷媒を噴射せしめるよう制御されることを特徴とする請求項１９に記載の電子デバイス冷却制御プログラム。
【請求項２２】
コンピュータにて読取可能な記録媒体であって、
複数の冷却ノズルに冷媒が導入されるよう冷媒導入機構を制御する機能と、
前記冷却ノズルに近接配置された電子デバイスの表面に、前記冷媒を導入された冷却ノズルから冷媒を噴射せしめるよう冷媒噴射機構を制御する機能と、
をコンピュータに発揮させることを特徴とする電子デバイス冷却制御プログラムを格納した記録媒体。
【請求項２３】
コンピュータにて読み取り可能な記録媒体であって、
複数の冷却ノズルに冷媒が導入されるよう冷媒導入機構を制御する機能と、
電子デバイスの表面における熱分布状態情報を熱センサの出力値により取得する機能と、
前記取得した熱分布状態情報に応じて、前記電子デバイスの表面の冷却すべき位置を特定する機能と、
冷却ノズルの配置に関するデータを記録媒体から検索することにより、前記特定した位置に対応した冷却ノズルを選択する機能と、
前記選択した冷却ノズルから冷媒を噴射せしめるよう冷媒噴射機構を制御する機能と、
をコンピュータに発揮させることを特徴とする電子デバイス冷却制御プログラムを格納した記録媒体。
【請求項２４】
前記取得した熱分布状態情報に応じて、前記選択した冷却ノズルの冷媒噴射時間を計算する機能を更に備え、
前記冷媒噴射機構は、前記計算した冷媒噴射時間に応じて冷媒を噴射せしめるよう制御されることを特徴とする請求項２３に記載の電子デバイス冷却制御プログラムを格納した記録媒体。
【請求項２５】
前記取得した熱分布状態情報に応じて、前記選択した冷却ノズルの冷媒噴射タイミングを計算する機能を更に備え、
前記冷媒噴射機構は、前記計算した冷媒噴射タイミングに応じて冷媒を噴射せしめるよう制御されることを特徴とする請求項２３に記載の電子デバイス冷却制御プログラムを格納した記録媒体。
【請求項２６】
コンピュータにて読み取り可能な記録媒体であって、
電子デバイスが実行する処理の内容と、
前記処理の実行による前記電子デバイス表面の発熱分布をあらかじめ予測した熱分布予測情報と、
をそれぞれ対応づけて格納した記録媒体。 
【発明の詳細な説明】
【技術分野】
【０００１】
本発明は電子デバイスを冷却するための技術、特に、電子デバイスの表面を噴流熱伝達の原理を応用して冷却するための技術、に関する。
【背景技術】
【０００２】
電子機器を制御するＣＰＵ（Central Processiong Unit）やＤＳＰ(Digital Signal Processer)を始めとする各種の電子デバイスは、トランジスタなどの能動素子やコンデンサなどの受動素子を含めたさまざまな電子部品によって構成される。これらの電子部品を駆動する電気エネルギーの一部は熱エネルギーに変換されて放熱される。電子部品の性能は、通常、温度依存性を有するため、この放散された熱は、電子部品、ひいては電子デバイスの性能に影響を及ぼす。したがって、電子デバイスを冷却するための技術は、電子デバイスを正常に制御する上で極めて重要な技術である。
【０００３】
冷却技術の一例として、電動ファンによる空冷方法がある。この方法においては、電子デバイスの表面に対向して電動ファンを配設する。空気取り入れ口から吸入した冷たい空気を、電動ファンにより電子デバイス表面に吹き付ける。電子デバイス表面からの発生した熱を吸収して温められた空気は、空気排出口から排出される。このように、電子デバイス表面から発生する熱を電動ファンによって排除することにより、電子デバイスを冷却する。
【０００４】
別の例として、冷却水による電子デバイスの冷却方法がある。電子デバイスの表面を防水ケースで覆い、冷却水を電子デバイス表面に導く。電子デバイス表面からの発生した熱を吸収して温められた冷却水は、冷却水排出口から排出される。電子デバイス表面から発生する熱を冷却水に吸熱させることにより、電子デバイスを冷却する。
【特許文献１】特開２００２−０２６５５５号公報
【特許文献２】特開２００１−２２１５２９号公報
【発明の開示】
【発明が解決しようとする課題】
【０００５】
近年の電子デバイスは、高速、高機能、高集積化し、電子デバイスから発生する熱はますます増加する傾向にある。従来の空冷や液冷による冷却方法では、電子デバイスの充分な冷却は困難になりつつある。
【０００６】
上記に示した従来の冷却方法は、マクロの視点からみて、電子デバイスの表面から発生した熱をいかに排除するかを主眼としている。しかし、ミクロの視点からみれば、電子デバイスの熱はその表面から一様に発生しているのではない。電子デバイスを構成する電子部品は、通常、機能ごとにモジュール化されている。したがって、電子デバイスが実行する処理によっては、表面から発生する熱の分布が変化する。処理によって、電子デバイスが発揮すべき機能が異なるからである。
【０００７】
本発明は、上記課題に鑑みてなされたものであり、その目的は、電子デバイスを効果的に冷却するための技術、を提供することにある。
【課題を解決するための手段】
【０００８】
本発明のある態様は、電子デバイス冷却装置である。この装置は、電子デバイスの表面に対向するよう近接配置された複数の冷却ノズルを有するノズルユニットと、そのノズルユニットに導入された冷媒に作用し、当該冷媒を冷却ノズルから噴射せしめる駆動ユニットと、駆動ユニットによる噴射駆動能力を制御する噴射駆動制御部を備える。
【０００９】
「冷媒」とは、空気などの気体や水などの液体であって、電子デバイスの表面から発生する熱を吸排熱するための媒体をいう。本態様においては、ノズルユニットに導入された冷媒を、冷却ノズルから電子デバイスの表面に噴射することにより、電子デバイス表面から発生した熱を排除する。後に詳述するように、冷媒を電子デバイス表面に噴流として吹き付けることにより、局所的な熱伝達率を大きく取ることができる。電子デバイス表面に直接冷媒を吹き付けて冷却してもよいし、電子デバイス表面を皮膜するケースに吹き付けることにより間接的に冷却してもよい。以下、冷媒を電子デバイスなどの発熱体に噴射することにより発熱体を冷却する方法を「噴流冷却」とよぶ。また、電子デバイス表面において冷却ノズルの噴射軸と交わる点のことを「噴射軸点」とよぶ。
【００１０】
冷却ノズルによる噴流冷却によれば、特に噴射軸点近傍に発生した熱を効果的に排除できる。冷却ノズルを多く配置するほど、また、冷却ノズルの冷媒噴射能力が高いほど、冷却効果も高くなる。電子デバイス中で、特に発熱量が大きい箇所をあらかじめ想定できる場合には、その箇所の近傍に冷却ノズルを集中的に配置してもよい。このような箇所の近傍を噴射軸点とする冷却ノズルは、より強力に噴射するように設計してもよい。たとえば、冷却ノズルの冷媒噴出口面積や、噴流の速度が大きくなるように設定してもよい。電子デバイス冷却装置は、電子デバイスと一体化して形成してもよいし、単体のモジュールとして提供されてもよい。
【００１１】
この装置のノズルユニットは、主ノズル群と副ノズル群を備え、主ノズル群と前記副ノズル群はともに、格子状に配置された複数の冷却ノズルを有し、電子デバイスの表面に水平な方向においては、それぞれのノズル群をずらして配置してもよい。主ノズル群と副ノズル群は電子デバイスの表面に垂直な方向においては段違いに置かれてもよい。
【００１２】
ノズルユニットが、多くの冷却ノズルを有するほど電子デバイスの噴射軸点が多くなり、電子デバイス全体としての冷却に効果がある。本態様においては、ノズルユニットを主ノズル群と副ノズル群にわける。主ノズル群の冷却ノズルの隙間に副ノズル群の冷却ノズルの冷媒噴出口がくるように配置する。これによって、冷却ノズルをより密に設置できる。また、主ノズル群と副ノズル群は電子デバイス表面の対向方向においては、段違いに配置されてもよい。
【００１３】
この装置は、電子デバイスの表面における熱分布状態を検知する熱分布検出センサを更に備え、噴射駆動制御部は、その検知した熱分布状態に応じて、駆動ユニットを制御してもよい。
【００１４】
「熱分布状態」とは、電子デバイスの表面の温度分布のように発生している熱の分布であってもよいし、発熱量の変化率の分布であってもよい。「熱分布検出センサ」とは、たとえば、電子デバイスの内部に埋設される温度センサであってもよい。あるいは、電子デバイス表面から放射される赤外線を外部から検出する赤外線センサであってもよい。電子デバイス表面の熱分布状態に応じて、冷却ノズルを駆動することにより、電子デバイスを効果的に冷却できる。たとえば、発熱量が大きい箇所の近傍を噴射軸点とする冷却ノズルを選択して、冷媒を噴射するように駆動すれば、他の冷却ノズルを一斉に駆動するよりも更に効果的に冷却できる場合もある。また、冷却ノズルを選択的に駆動することにより、使用する冷媒や、駆動ユニットを駆動するための消費電力を抑制する効果もある。
【００１５】
この装置の噴射駆動制御部は、更に、その検知した熱分布状態に応じて、駆動ユニットが冷却ノズルに冷媒を噴射せしめる冷媒噴射時間を制御してもよい。
【００１６】
たとえば、発熱量が大きい箇所の近傍を噴射軸点とする冷却ノズルについては、冷媒を噴射する時間が長くなるように制御すれば、更に電子デバイスを効果的に冷却できる。
【００１７】
この装置の噴射駆動制御部は、最も冷却したい位置に対応する冷却ノズルから所期の方向に向けて順に冷却ノズルを噴射せしめるよう駆動ユニットを制御してもよい。そして、その方向に冷媒の脈流を形成してもよい。
【００１８】
ある冷却ノズルを駆動して、電子デバイス表面に冷媒を噴射した場合、その噴射軸点の近傍に発生していた熱は冷媒に吸収されて周辺に放散される。この放散された熱は、噴射軸点のまわりに滞留しつづける可能性もある。このような場合、ある冷却ノズルを駆動したあと、その冷却ノズルの周囲に位置する冷却ノズルを順次駆動する。これにより、噴射軸点の近傍に発生していた熱は、電子デバイスの外に脈流として放散される。したがって、放散された熱が効果的に電子デバイスの表面上から排出される。この制御により、更に電子デバイス表面に発生する熱を効果的に排除できる。
【００１９】
この装置の噴射駆動制御部は、その形成した冷媒の脈流を、排熱孔に向かうよう、駆動ユニットを制御してもよい。
【００２０】
電子デバイス表面から発生する熱を回収するための排熱孔が形成されている場合には、吸熱した冷媒が排熱孔に誘導されるように冷却ノズルを駆動すれば、更に、電子デバイスの表面から発生する熱を効果的に排出できる。
【００２１】
この装置は、電子デバイスの表面における熱分布状態を予測する熱分布予測部を更に備え、噴射駆動制御部は、その予測した熱分布状態に応じて、駆動ユニットを制御してもよい。
【００２２】
たとえば、電子デバイス表面の熱分布状態を熱検知センサにより適宜検出し、その取得した熱分布状態に関する情報を記録媒体に履歴として記録してもよい（以下、この記録された熱分布状態の履歴情報を「熱分布履歴情報」とよぶ）。この熱分布履歴情報をもとに、将来の熱分布状態を予測し、発熱量が多くなると予測される箇所の近傍を噴射軸点とする冷却ノズルを選択して、冷媒を噴射せしめてもよい。本態様によれば、実際に電子デバイスの所定の箇所が高温になる前に先回りして冷却できる。
【００２３】
この装置の熱分布予測部は、電子デバイスが実行すべき内容に応じて、熱分布状態を予測してもよい。
【００２４】
電子デバイス表面の熱分布は、電子デバイスが実行する処理によって変化する。たとえば、ＣＰＵの特定のモジュールは、ＣＰＵが実行する命令の内容によって、頻繁に駆動される場合もあれば、ほとんど駆動されない場合もある。そのため、電子デバイスが実行する処理により、熱分布を予測できる場合もある。その予測は、実行されるソフトウェアの種類や、ソフトウェアのうち発揮されている機能に基づいて行ってもよい。たとえば、あるソフトウェア内の通信モジュールと３次元レンダリングモジュールでは、それぞれの実行時に主として駆動される電子デバイス内のモジュールは異なると考えられる。
【００２５】
熱分布予測部は、電子デバイスが実行する処理の内容に対応して、電子デバイスの予測される熱分布状態を定義したデータ（以下、「熱分布相関データ」と呼ぶ）に基づいて熱分布を予測してもよい。すなわち、電子デバイスが実行すべき処理の内容に応じて、この熱分布相関データから該当する予測情報を読み出すことにより、熱分布を予測してもよい。
【００２６】
本発明の別の態様も電子デバイス冷却装置である。この装置は、電子デバイスの表面に対向するよう近接配置された複数の冷却ノズルを有するノズルユニットと、ノズルユニットに導入された冷媒に作用し、その冷却ノズルごとに当該冷媒を噴射せしめる駆動ユニットと、電子デバイスの表面における熱分布状態を検知する熱分布検出センサと、検知した熱分布状態に応じて、冷却すべき位置を特定し、特定した位置に対応した冷却ノズルを選択するノズル選択部と、選択した冷却ノズルについて、駆動ユニットにより冷媒を噴射せしめる噴射駆動制御部を備える。
【００２７】
電子デバイスの表面の熱分布状態に応じて、駆動すべき冷却ノズルを選択する。たとえば、発熱量が最も大きい箇所の近傍を噴射軸点とする冷却ノズルにより冷媒を噴射せしめれば、他の冷却ノズルに比べて吸熱効果が高いと考えられる。これにより、冷却ノズルの最適制御が実現される。
【００２８】
この装置は、検知した熱分布状態に応じて、選択した冷却ノズルの冷媒噴射時間を計算する噴射時間計算部を更に備え、噴射駆動制御部は、選択した冷却ノズルについて、計算した冷媒噴射時間、駆動ユニットにより冷媒を噴射せしめてもよい。また、この装置は、検知した熱分布状態に応じて、選択した冷却ノズルの冷媒噴射タイミングを計算する噴射タイミング計算部を更に備え、噴射駆動制御部は、選択した冷却ノズルについて、計算した冷媒噴射タイミングに応じて、駆動ユニットにより冷媒を噴射せしめてもよい。
【００２９】
なお、以上の構成要素の任意の組合せ、本発明を方法、装置、システム、記録媒体、コンピュータプログラムにより表現したものもまた、本発明の態様として有効である。
【発明の効果】
【００３０】
本発明によれば、電子デバイスを効果的に冷却することができる。
【発明を実施するための最良の形態】
【００３１】
ＣＰＵやＤＳＰなどの電子デバイスの表面から発生する熱は、電子デバイス内の電子部品や電子部品間を接続する導線に供給される電気エネルギーが熱エネルギーに変換されて放散されたものである。この熱は電子デバイスの表面から均一に発生するものではない。
【００３２】
電子デバイスの表面を冷却するための技術としては、電動ファンによる空冷方式や冷却水の循環による液冷方式があることは先述の通りである。これらの方式は、電子デバイス表面から発生した総熱量を排出することを主眼としたものであり、電子デバイス表面から発生する熱の偏在性に着目したものではない。
【００３３】
通常、空冷方式よりも液冷方式の方が冷却効果が高い。しかし、液冷方式においては、電子デバイスのチップパッケージと冷却モジュールが別体であるため、電子デバイス表面から発生した熱が冷却モジュールに伝導する上でインタフェース熱抵抗が大きいという問題がある。冷却モジュールとチップパッケージとの接合部には、通常、わずかな空気が入り込み、これが断熱材の役割を果たす。この空気が冷却モジュールによる吸熱を妨げる。接合部にグリースを塗布して、この空気を排除することにより、吸熱効率はいくばくかは改善される。しかし、電子デバイスの高性能化に伴い、従来の液冷方式の冷却も限界に近づきつつある感がある。
【００３４】
本発明は、このような現状に鑑み、噴流冷却の原理を応用した新しいパラダイムの電子デバイス冷却技術を提案するものである。
【００３５】
実施の形態の説明に先立ち、噴流冷却の原理について説明する。
【００３６】
噴流冷却は、局所的な熱伝達効率を大きく取ることができる冷却方法として知られている。この方法は、たとえば、切削加工など部分的に大きく発生する熱に対する冷却方法として有効であり、冷媒を冷却ノズルから噴射して発熱体に吹き付けることにより冷却する。噴射される冷媒の流れに対する垂直面の熱伝達は、噴流軸点を中心にして、同心円上に広がる。
【００３７】
噴流半径ｒ0[m]、冷媒の熱伝導率λf[W/mK]における熱伝達率ｈ0[W/m2K]は、
【００３８】
（数１）
ｈ0=λf・Nu0/ｒ0
と表される。ここで、Nu0は、噴流半径ｒ0[m]における平均ヌセルト数であり、これは、
【００３９】
（数２）
Nu0=1.25・Pr0.45・Re0.45
と表される。Prはプラントル数と呼ばれる定数であり、Reはレイノルズ数である。Reは、以下の式で表される。
【００４０】
（数３）
Re=u0・d0/ν
ここで、u0[m/s]は、噴流の体積流量を冷却ノズル噴出口の断面積で割った代表速度である。d0[m]は、噴出口の直径、ν[s/m2]は、流体の粘性を表す。
【００４１】
図１は、電子デバイス表面に対して格子状に配置された冷却ノズルから冷媒を噴射したときの熱伝達の様子をコンピュータシミュレーションにより計算した図である。同図の濃い部分ほど熱伝達率が高い、すなわち、冷却効果が大きいことを示す。同図では、濃い部分が、噴流軸点に対応する。すなわち、噴流冷却によれば、噴流軸点近傍において高い冷却効果が得られることが分かる。複数のプロセッサを含む電子デバイスの場合には、電子デバイス表面からの発熱に局所性を生じやすい。このような電子デバイスには、特に噴流冷却による冷却効果が高い。中でも、複数のプロセッサを埋め込むことより、複数の処理を独立に並列処理する機能を有するチップのような電子デバイスの場合には、そのチップにおいて処理を実行しているプロセッサが発熱するため、結果として、チップの表面における発熱に局所性を生じやすい。このような場合には、そのチップに埋め込まれる各プロセッサの直上が噴流軸点に対応するように冷却ノズルを配置すればよい。チップ内において、処理を実行中のプロセッサと、処理を実行していないプロセッサとでは発熱量が異なる。このような場合、処理を実行中のプロセッサの直上を噴流軸点とする冷却ノズルを選択的に駆動して、冷媒を噴射せしめることにより、チップ全体を冷却するよりも効率的にチップを冷却することができる。
【００４２】
図２は、本実施の形態における電子デバイス冷却装置１００の機構を示す模式図である。電子デバイス冷却装置１００には、主ノズル１１０ａや補助ノズル１１０ｂがそれぞれ複数個埋設される。電子デバイス冷却装置１００から電子デバイス２００の表面に冷媒を噴射することにより、電子デバイス２００が冷却される。冷媒が液体である場合には、電子デバイス２００の表面は防水用のケースで覆われる。主ノズル１１０ａと補助ノズル１１０ｂは、同様の機構である。主ノズル１１０ａは、補助ノズル１１０ｂよりも冷媒噴出口が電子デバイス２００に近いため冷却効果が高い。電子デバイス２００の表面のうち、あらかじめ高温になりやすい箇所が分かっている場合には、その箇所に主ノズル１１０ａが対応するように設置してもよい。冷却ノズル１１０を電子デバイス冷却装置１００に高密度に実装する場合には、同図に示すように主ノズル１１０ａと互い違いに補助ノズル１１０ｂを埋設してもよい。
【００４３】
電子デバイス冷却装置１００は、シリコン加工技術、いわゆる、マイクロ製造技術によって実現される。冷却ノズル１１０は、ＭＥＭＳ（Micro Electro Mechanical System）によるメカニカル駆動によって冷媒を噴射する。具体的には、冷媒供給路１０２を介して冷媒がチャンバー１０４に導入される。チャンバー１０４は冷媒を少量ながらも貯蔵することによりドライアウトを防止する。可動膜駆動部１０８は、外部からの制御信号に応じて可動膜１０６を駆動する。可動膜１０６はチャンバー１０４に溜められた冷媒を電子デバイス２００に向けて押し出すことにより冷媒を噴射する。電子デバイス２００に噴射された冷媒は図示しない冷媒回収孔に回収される。回収された冷媒はそのまま廃棄されてもよいし、循環して再び電子デバイス２００に噴射されてもよい。可動膜駆動部１０８は、外部から制御信号を受け、静電力や圧電素子、磁気などの力により可動膜１０６を駆動してもよい。冷媒となる流体は空気などの気体でも水などの液体であってもよい。冷媒が液体である場合には、冷媒の液滴を局所加熱して沸騰熱膨張させることにより冷媒を噴射してもよい。
【００４４】
図３は、電子デバイス２００の対向方向から見た図２の主ノズル１１０ａおよび補助ノズル１１０ｂの配列を示す図である。冷媒供給管１１２は主ノズル１１０ａに冷媒を供給する。冷媒供給管１１２内の冷媒は、冷媒供給路１０２を介してチャンバー１０４に導かれる。補助ノズル１１０ｂに冷媒を供給するための冷媒供給路（図示せず）も別に存在する。同図に示すように主ノズル１１０ａおよび補助ノズル１１０ｂは互い違いに配置されるため、主ノズル１１０ａだけを配置するよりも噴射軸点が密になる。主ノズル１１０ａおよび補助ノズル１１０ｂは同図に示すように格子状に配置してもよいし、電子デバイス２００の特定の箇所における冷却ノズル１１０の配置が最密になるよう調整して配置してもよい。
【００４５】
図４は、電子デバイス冷却装置１００の使用状態を示す模式図である。ここでは、冷媒が空気であり、電子デバイス冷却装置１００は単体のモジュールとして提供される場合を示す。電子デバイス２００は、通常、基板２２０上に設置される。電子デバイス冷却装置１００は、電子デバイス２００の上方に設置される。電子デバイス冷却装置１００を駆動する電力は、基板２２０から供給される。同図では、電子デバイス冷却装置１００の上部から外気が導入される。そして、電子デバイス冷却装置１００から電子デバイス２００に、先述の方法により空気が噴射される。
【００４６】
図５は、冷媒が空気である場合における電子デバイス冷却装置１００の使用状態を示す模式図である。外気供給路１３０は外部の空気を電子デバイス冷却装置１００に供給する。電子デバイス冷却装置１００はこの空気を電子デバイス２００に噴射する。空気排出路１３２は噴射されて温められた空気を排出する。外気供給路１３０は、この排出された空気を更に冷却して電子デバイス冷却装置１００に供給してもよい。
【００４７】
図６は、冷媒が水である場合における電子デバイス冷却装置１００の使用状態を示す模式図である。バッファ１４０は、冷却水を貯蔵する。これにより、電子デバイス冷却装置１００に供給すべき冷却水に不足が生じないようにする。液体供給路１３４は冷却水を電子デバイス冷却装置１００に供給する。電子デバイス冷却装置１００はこの冷却水を電子デバイス２００に噴射する。電子デバイス２００の表面から発生する熱により温められた冷却水は帰還路１３６を通って回収され、凝縮部１３８に導かれる。この冷却水の帰還は、既知の方法であるキャピラリー力を用いてもよいし、ポンプなどの動力を用いてもよい。凝縮部１３８は、帰還した冷却水を外気によって冷却する。冷却水は、バッファ１４０を介して再び電子デバイス冷却装置１００に供給される。冷媒は、たとえば、アルコールなどの揮発性の高い液体であってもよい。
【００４８】
液体供給路１３４や帰還路１３６などの液体が流れる経路を減圧し、電子デバイス２００の表面から発生する熱で冷却水を気化させてもよい。帰還路１３６にける液体は、キャピラリー力やポンプなどにより回収してもよい。冷媒が水のように熱容量が大きな液体である場合には、液体として電子デバイス２００から発生した熱を奪う。冷媒がアルコールのように揮発性の高い液体であれば、電子デバイス２００から発生した熱を液体の気化熱により奪う。本実施の形態においては、冷媒が気体か液体かで供給方法が異なるが、冷媒の噴射に関しては同様である。
【００４９】
図７は、電子デバイス冷却装置１００の取付例について示す図である。電子デバイス冷却装置１００は、天井基板１５０により電子デバイス２００に対向するように設置される。コネクタ１５２は、電子デバイス冷却装置１００の電子デバイス２００に対する位置決めを行う。電子デバイス冷却装置１００を駆動する電力は基板２２０からコネクタ１５２、天井基板１５０を介して電子デバイス冷却装置１００に供給される。おなじく、電子デバイス冷却装置１００に埋設される冷却ノズル１１０の駆動に関する制御信号も基板２２０から同様の経路を経て伝達される。電子デバイス冷却装置１００内に埋設される各可動膜駆動部１０８は、基板２２０からの制御信号に基づいて可動膜１０６を駆動し、冷媒を噴射せしめる。電子デバイス２００の内部には熱分布状態を検出するための温度センサ２４６が各所に埋設される。
【００５０】
図８は電子デバイス冷却装置１００の機能ブロック図である。ここに示す各ブロックは、ハードウェア的には、コンピュータのＣＰＵをはじめとする素子や機械装置で実現でき、ソフトウェア的にはコンピュータプログラム等によって実現されるが、ここでは、それらの連携によって実現される機能ブロックを描いている。したがって、これらの機能ブロックはハードウェア、ソフトウェアの組合せによっていろいろなかたちで実現できることは、当業者には理解されるところである。
【００５１】
噴射制御部１６０は、冷却ノズル１１０の制御を統合して行う。駆動ユニット１８２は、噴射制御部１６０からの指示に応じて、冷却ノズル１１０を含むノズルユニット１８４を駆動し冷媒を噴射せしめる。噴射制御部１６０は、シャワーの様に、すべての冷却ノズル１１０に対して同一の制御がなされるよう駆動ユニット１８２を制御してもよい。噴流冷却によれば、図１に示したように噴流軸点近傍において高い冷却効果が得られる。特に、冷却ノズル１１０が電子デバイス冷却装置１００において密に埋設されている場合や、電子デバイス２００の表面から発生する熱の局所性を予め想定して冷却ノズル１１０が配置される場合には、このような制御でも効果が大きい。制御がシンプルであるため、低コストで実現できるメリットがある。実施の形態には、更にいくつかのバリエーションがある。以下、図８から図１０の各ブロック図を用いて典型的な３つの実施の形態について説明する。
【００５２】
実施の形態１：
図８により、電子デバイス２００の熱分布状態に応じて噴射制御部１６０がノズルユニット１８４を制御する場合について説明する。ノズルマップ格納部１６２は、各冷却ノズル１１０の配置に関するデータ（以下、「ノズルマップ」とよぶ）を格納する。具体的には、各冷却ノズル１１０の電子デバイス２００に対する座標情報を格納する。ノズルマップ格納部１６２のデータ構造については図１１に関連して後に詳述する。ノズル選択部１８０は、冷却すべき箇所の近傍を噴射軸点とする冷却ノズル１１０をノズルマップ格納部１６２が格納するノズルマップに基づいて選択する。
【００５３】
熱分布検出部１７８は、電子デバイス２００の表面の熱分布状態を検出する。電子デバイス２００の各所に埋設される温度センサ２４６により、熱分布検出部１７８は、電子デバイス２００の表面の熱分布状態を検出する。熱分布検出部１７８は、定期的にこの熱分布状態を検出する。噴射制御部１６０は、熱分布検出部１７８が検出した熱分布状態に基づき、最も発熱量が大きい箇所を冷却するようノズル選択部１８０に冷却ノズル１１０の選択を指示する。ノズル選択部１８０は、検出された熱分布状態と、ノズルマップ格納部１６２に格納されるノズルマップに基づいて、駆動すべき冷却ノズル１１０を選択する。噴射制御部１６０は、この選択された冷却ノズル１１０が冷媒を噴射するよう駆動ユニット１８２を制御する。
【００５４】
噴射時間演算部１６８は、冷却ノズル１１０の冷媒噴射時間を計算する。電子デバイス２００の表面のうち発熱量が大きい箇所に近い冷却ノズル１１０ほど冷媒を長時間噴射することにより、より高い冷却効果を発揮できる。噴射制御部１６０が、各冷却ノズル１１０に繰り返し冷媒を噴射せしめるよう制御する場合には、各冷却ノズル１１０の冷媒噴射時間と、冷媒を噴射していない時間の時間比（以下、「デューティ」とよぶ）を計算してもよい。
【００５５】
脈流演算部１６４は、冷却ノズル１１０の噴射する冷媒を脈流させるため、各冷却ノズル１１０の制御方法を計算する。電子デバイス２００の表面のうち、発熱量の大きい箇所に最も近い噴射軸点に対応する冷却ノズル１１０から、冷媒を噴射させるとその噴射軸点の近傍の温度は低下する。冷媒の噴射によって、噴射軸点近傍から発生していた熱は冷媒が吸熱するが、この温められた冷媒は、噴射軸点の周りに放散される。冷媒を噴射したその冷却ノズル１１０の近傍の冷却ノズル１１０から、一定の時間経過後に更に冷媒を噴射させることにより、この周りに放散された冷媒をさらに外部に押し出すように放散させることができる。同様に制御して、冷却ノズル１１０から順次冷媒を噴射せしめることにより冷媒の脈流を形成させれば、冷媒が吸熱した熱量を効果的に排出できる。
【００５６】
たとえば、図５や図６に示したように、冷媒を回収する排熱孔がある場合には、この吸熱した冷媒が排熱孔に向かうように制御してもよい。また、熱分布状態に関わらず、すべての冷却ノズル１１０を一斉に制御する場合であっても、電子デバイス２００の中心から外部や排熱孔に向かって冷媒が排出されるように制御してもよい。
【００５７】
実施の形態２：
図９により、電子デバイス２００の熱分布状態を予測して噴射制御部１６０がノズルユニット１８４を制御する場合について説明する。ここでは、熱分布履歴情報によって予測を行う場合について説明する。図９に示す機能ブロックで図８に対応するものは同様である。熱分布履歴情報格納部１６６は、熱分布検出部１７８が定期的に検出した熱分布状態に関する情報をもとに、熱分布履歴情報を格納する。熱分布履歴情報格納部１６６のデータ構造については後に詳述する。熱分布予測部１７０は、熱分布履歴情報格納部１６６に格納される熱分布履歴情報に基づいて、将来の熱分布状態を予測する。たとえば、電子デバイス２００の表面のうち、発熱量が増大しつづけている箇所は、将来においては更に発熱する可能性が高いといえる。そのような箇所を前もって冷却することにより、事前に発熱量が所定値を超える箇所が生じるのを防ぐよう制御する。
【００５８】
熱分布状態の予測は、たとえば、電子デバイス２００の表面の所定の箇所について、過去数回検出された温度から、移動平均法により将来の温度を予測してもよい。噴射制御部１６０は、冷媒の噴射履歴情報を記録媒体に記録してもよい。この噴射履歴情報とは、各冷却ノズル１１０の冷媒噴射のタイミングや冷媒噴射時間についての情報である。熱分布予測部１７０は、冷媒の噴射履歴情報に鑑みて熱分布予測を行ってもよい。たとえば、その近傍に冷媒を噴射しているにもかかわらず、発熱量が減少傾向にない箇所には、さらに冷媒を噴射する必要がある。この場合には、対応する冷却ノズル１１０の冷媒噴射時間を更に延長したり、対象箇所近傍の複数の冷却ノズル１１０から同時に冷媒を噴射させてもよい。また、その近傍に冷媒をほとんど噴射していない箇所において発熱量が増加している場合には、冷媒を短時間噴射させてみて、温度変化の様子をみて次の制御を決めてもよい。これにより、短期的に発熱する箇所と、定常的に発熱する箇所に応じて冷媒の噴射を調整できる。
【００５９】
実施の形態３：
図１０により、電子デバイス２００の熱分布状態を予測して噴射制御部１６０がノズルユニット１８４を制御する場合について説明する。ここでは、電子デバイス２００が実行する処理の内容に応じて熱分布状態の予測を行う場合について説明する。図１０に示す機能ブロックで図８、図９に対応するものは同様である。処理実行検出部１７４は電子デバイス２００が実行する処理の内容を判断する。熱分布相関データ格納部１７２は、電子デバイス２００が実行する処理の内容と、それにともなって予測される発熱分布の予測データである熱分布相関データを格納する。この熱分布相関データは、電子デバイス２００が実行する処理の内容と、それらの処理の実行による電子デバイス２００の表面の発熱分布をあらかじめ予測した熱分布予測情報をそれぞれ対応づけて格納したコンピュータにて読み取り可能な記録媒体により提供される。このデータは、電子デバイス２００が実行するコンピュータプログラムごとに提供されてもよい。また、電子デバイス２００が実際に各処理を実行するときの電子デバイス２００の表面における発熱分布に基づいて、熱分布相関データは適宜補正されてもよい。熱分布相関データ格納部１７２のデータ構造については後に詳述する。熱分布予測部１７０は、処理実行検出部１７４により取得した電子デバイス２００の実行内容に対応する熱分布相関データを熱分布相関データ格納部１７２から取得することにより、電子デバイス２００の各箇所の発熱量を予測する。
【００６０】
次にデータ構造について説明する。
図１１は、ノズルマップ格納部１６２のデータ構造を示す図である。ノズルマップ格納部１６２は、図３に示したように、冷却ノズル１１０の電子デバイス２００に対するノズルマップを格納する。ノズルＩＤ欄１８８は、各冷却ノズル１１０を識別するＩＤ番号であるノズルＩＤを示す。主補欄１８３は、各冷却ノズル１１０が、主ノズルか補助ノズルかを示す。Ｘ座標欄１８５は、各冷却ノズル１１０のＸ座標を示す。Ｙ座標欄１８６は、各冷却ノズル１１０のＹ座標を示す。ここでいう座標とは、対向する電子デバイス２００を基準とした座標である。同図では、電子デバイス２００の中心座標を（０，０）とし、（−５０，５０）、（５０，−５０）、（−５０，５０）、（５０，５０）を４頂点として冷却ノズル１１０が格子状に配置されている。同図によれば、たとえば、ノズルＩＤが「０３」の冷却ノズル１１０は、主ノズルであり、その座標は（−３０，−５０）である。
【００６１】
図１２は、熱分布履歴情報格納部１６６のデータ構造を示す図である。熱分布履歴情報格納部１６６は、熱分布検出部１７８が定期的に検出した電子デバイス２００の表面の熱分布状態を熱分布履歴情報として格納する。先述のように電子デバイス２００の複数の箇所に埋設された温度センサ２４６が、電子デバイス２００の表面の熱分布状態を検出する。これに対応して、電子デバイス２００の表面にはいくつかの温度検出位置が設定される。位置ＩＤ欄１９０は、この温度検出位置を識別するためのＩＤ番号である位置ＩＤを示す。Ｘ座標欄１９２は、温度検出位置のＸ座標を示す。Ｙ座標欄１９４は、温度検出位置のＹ座標を示す。ここでいう座標とは、対向する電子デバイス２００を基準とした座標である。時刻ｔ１欄１９６は、熱分布検出部１７８が定期的に取得する熱分布情報のうち、前回取得した各温度検出位置における温度（℃）を示す。時刻ｔ２欄１９８は、前々回取得した各温度検出位置における温度を示す。このように、時刻ｔ１欄１９６〜時刻ｔ１０欄２０８の各欄は、各温度検出位置における温度を示す。
【００６２】
たとえば位置ＩＤが「０１」の温度検出位置の座標は（−５０，−５０）である。そして、その位置の温度は、・・・５０．０℃、６０．０℃、６８．５℃のように急上昇している。したがって、図９の熱分布予測部１７０は、座標（−５０，−５０）の温度は更に上昇する可能性が高いと予測する。ノズル選択部１８０は、この位置ＩＤ「０１」の近傍を噴射軸点とする冷却ノズル１１０をノズルマップ格納部１６２に格納されるノズルマップから検索する。図１１によれば、ノズルＩＤ「０１」の冷却ノズル１１０（主ノズル）の噴射軸点がちょうど対応しているため、噴射制御部１６０は、この冷却ノズル１１０から重点的に冷媒が噴射されるよう制御する。
【００６３】
図１３は、熱分布相関データ格納部１７２のデータ構造を示す図である。熱分布相関データ格納部１７２は、電子デバイス２００が実行する処理の内容ごとの熱分布相関データを格納する。処理ＩＤ欄２３０は、電子デバイス２００が実行する処理の内容を識別するためのＩＤ番号である処理ＩＤを示す。位置ＩＤ０１欄２３２は、図１２の位置ＩＤ欄１９０に示す位置ＩＤ「０１」についての温度予測情報を示す。同様に、位置ＩＤ０２欄２３４〜位置ＩＤ３６欄２４４も、各位置ＩＤにおける予測温度情報を示す。ここで「Ａ」とあるのは、処理に伴って高温になることが予測される箇所であることを示す。「Ｂ」は、「Ａ」ほどではないにしろ温度上昇が予測される箇所であり、「Ｃ」は、有意な温度上昇がないと予測される箇所であることを示す。
【００６４】
たとえば、処理ＩＤ「０００４」の処理が実行されると、位置ＩＤ「０２」および「０３」に対応する箇所が特に高温になることを示す。図１０の処理実行検出部１７４は、電子デバイス２００が処理ＩＤ「０００４」の処理を実行または実行予定であると検出すると、熱分布予測部１７０は、熱分布相関データ格納部１７２が格納する熱分布相関データから対応するデータを取得する。図１３より、処理ＩＤ「０００４」の処理の実行にともない、位置ＩＤ「０２」および「０３」が特に高温になると予測される。ノズル選択部１８０は、ノズルマップ格納部１６２にアクセスして、この位置ＩＤ「０２」および「０３」の近傍を噴射軸点とする冷却ノズル１１０を選択する。そして、噴射制御部１６０は所定のタイミングで、この選択した冷却ノズル１１０に冷媒を噴射せしめるよう制御する。熱分布予測部１７０は、電子デバイス２００が実行する処理の内容に応じてあらかじめ温度上昇が見込まれる箇所を予測するので、事前にその箇所を冷却しておくことができる。熱分布相関データは、冷却すべき電子デバイス２００に応じて予めユーザにより設定されてもよい。あるいは、アプリケーションソフトウェアが自らの熱分布相関データを有してもよい。この場合、そのアプリケーションソフトウェアのインストールに伴って、この熱分布相関データが熱分布相関データ格納部１７２に格納されてもよい。
【００６５】
実施の形態として１から３をそれぞれ示したが、これらは互いに組み合わされて実施されてもよい。たとえば、通常は、すべての冷却ノズル１１０から同時に冷媒が噴射されるように制御するが、熱分布検出部１７８が熱分布の偏りを検出するとそれに対応して、各冷却ノズル１１０を個別に制御する方式に切り換えることとしてもよい。また、噴射制御部１６０は、熱分布検出部１７８が検出した熱分布の情報と熱分布予測部１７０が予測した熱分布の情報の両方に基づいて、ノズルユニット１８４を制御してもよい。その予測は、熱分布履歴情報に基づいてもよいし、熱分布相関データに基づいてもよいし、その両方に基づいてもよい。熱分布相関データは、熱分布検出部１７８が検出した熱分布状態に基づいて、適宜修正されてもよい。これによって、熱分布相関データはさらに精度が高くなる。これらのさまざまな組み合わせが本発明の範囲に含まれることは当業者には理解されるところである。
【００６６】
図１４は、実施の形態１について、熱分布の検出から冷媒の噴射までの過程を示すフローチャートである。図８と対応して説明する。まず、熱分布検出部１７８は、電子デバイス２００の表面の熱分布状態を検出する（Ｓ１０）。噴射制御部１６０は、この検出した熱分布状態に応じて冷却すべき箇所を特定する（Ｓ１２）。ノズル選択部１８０は、噴射制御部１６０の指示を受け、ノズルマップ格納部１６２が格納するノズルマップに基づいて、冷媒を噴射すべき冷却ノズル１１０を特定する（Ｓ１４）。噴射時間演算部１６８は、噴射制御部１６０からの指示を受け、冷媒噴射のデューティを決定する（Ｓ１６）。噴射時間演算部１６８は冷媒を噴射するタイミングも決定する。前述のように、冷媒が脈流を形成するよう制御する場合には（Ｓ１８のＹ）、脈流演算部１６４は、その制御のために冷却ノズル１１０を駆動するタイミングの演算を行う（Ｓ２０）。冷媒が脈流を形成するよう制御しない場合には（Ｓ１８のＮ）、Ｓ２０の処理はスキップする。噴射制御部１６０は、駆動ユニット１８２に所定の冷却ノズル１１０をこれらの演算に基づいて駆動するよう指示する（Ｓ２２）。
【００６７】
図１５は、実施の形態２について、熱分布の検出から冷媒の噴射までの過程を示すフローチャートである。図９と対応して説明する。熱分布検出部１７８は、電子デバイス２００の表面の熱分布状態を検出し（Ｓ１０）、熱分布履歴情報格納部１６６に熱分布履歴情報を記録する（Ｓ２４）。熱分布予測部１７０は、この熱分布履歴情報格納部１６６が格納する熱分布履歴情報をもとに将来の熱分布を予測する（Ｓ２６）。以降は、図１４と同様である。
【００６８】
図１６は、実施の形態３について、電子デバイス２００が実行する処理の検出から冷媒の噴射までの過程を示すフローチャートである。図１０に対応して説明する。まず、処理実行検出部１７４は、電子デバイス２００が実行する処理を検出する（Ｓ２８）。熱分布予測部１７０は、熱分布相関データ格納部１７２が格納する熱分布相関データをもとに、熱分布を予測する（Ｓ３０）。以降は、図１４と同様である。
【００６９】
以上、実施の形態においては、熱分布に偏りを生じる電子デバイスの冷却を噴流冷却により低い熱抵抗で実現できる。発熱量が大きい箇所、発熱量が大きくなると予測される箇所に対応して冷媒の噴射を制御するので、電子デバイスの表面の温度を均一化できる。これにより、電子デバイス内における、特に、トランジスタ等の半導体素子が高温になり異常動作する事態を回避する上で効果がある。ひいては、電子デバイスそのものの耐久性や処理の信頼性を高める効果がある。
【００７０】
電子デバイスの必要な箇所だけを冷却するように制御できるため、噴射に使用する冷媒の量や噴射に要する電力を抑制できる。また、電子デバイス冷却装置に冷媒を供給するシステムや、使用した冷媒を回収するシステムについては、従来の空冷方式や液冷方式において使用されてきた技術をそのまま用いることができる。温度センサが検出した熱分布状態をもとにフィードバック制御を行えば、電子デバイス冷却装置だけで自律的な温度制御を実現することも可能である。電動ファンなどの放熱機構と連携してさらに高度な温度制御を行うことも可能である。
【００７１】
以上、実施の形態をもとに本発明を説明した。なお本発明はこの実施の形態に限定されることなく、そのさまざまな変形例もまた、本発明の態様として有効である。
【００７２】
そうした変形例として、冷媒の温度に応じて、電動ファンと冷媒噴射のいずれを重点的に使うべきかを選択的に制御してもよい。たとえば、電子デバイスの熱によって冷媒が温まっているときには、温まった冷媒が冷却されるまで、電動ファンによる冷却にシフトするように制御してもよい。あるいは、電子デバイスが全体的に発熱しているときには、電動ファンによる冷却を行い、電子デバイスの発熱が局所性を有する場合には、冷媒噴射を行うように制御してもよい。
【００７３】
また、冷媒の噴射履歴、熱分布履歴情報、熱相関データ、熱分布情報に基づいて、効果的な冷却ノズルの制御方法を装置が学習できてもよい。主ノズルと補助ノズルとで冷媒の種類は別であってもよい。
【図面の簡単な説明】
【００７４】
【図１】電子デバイス表面に対して冷却ノズルを格子状に配置したときの熱伝達をコンピュータシミュレーションにより計算した図である。
【図２】電子デバイス冷却装置の機構を示す模式図である。
【図３】電子デバイスの対向方向から見た冷却ノズルの配置を示す図である。
【図４】冷媒が空気である場合において電子デバイス冷却装置の使用状態を示す図である。
【図５】冷媒が気体である場合における電子デバイス冷却装置の外観を示す図である。
【図６】冷媒が液体である場合における電子デバイス冷却装置の外観を示す図である。
【図７】電子デバイス冷却装置の取付の一例を示す図である。
【図８】実施の形態１における電子デバイス冷却装置の機能ブロック図である。
【図９】実施の形態２における電子デバイス冷却装置の機能ブロック図である。
【図１０】実施の形態３における電子デバイス冷却装置の機能ブロック図である。
【図１１】ノズルマップ格納部のデータ構造図である。
【図１２】熱分布履歴情報格納部のデータ構造図である。
【図１３】熱分布相関データ格納部のデータ構造図である。
【図１４】実施の形態１における熱分布の検出から冷媒の噴射までの過程を示すフローチャートである。
【図１５】実施の形態２における熱分布の検出から冷媒の噴射までの過程を示すフローチャートである。
【図１６】実施の形態３における電子デバイスの実行処理の検出から冷媒の噴射までの過程を示すフローチャートである。
【符号の説明】
【００７５】
１００  電子デバイス冷却装置、１０４  チャンバー、１０６  可動膜、１１０  冷却ノズル、１５０  天井基板、１５２  コネクタ、１６０  噴射制御部、１６２  ノズルマップ格納部、１６４  脈流演算部、１６６  熱分布履歴情報格納部、１６８  噴射時間演算部、１７０  熱分布予測部、１７２  熱分布相関データ格納部、１７４  処理実行検出部、１７８  熱分布検出部、１８０  ノズル選択部、１８２  駆動ユニット、１８４  ノズルユニット、２００  電子デバイス、２４６  温度センサ。
【図１】
2005175398.tif 000003
【図２】
2005175398.tif 000004
【図３】
2005175398.tif 000005
【図４】
2005175398.tif 000006
【図５】
2005175398.tif 000007
【図６】
2005175398.tif 000008
【図７】
2005175398.tif 000009
【図８】
2005175398.tif 000010
【図９】
2005175398.tif 000011
【図１０】
2005175398.tif 000012
【図１１】
2005175398.tif 000013
【図１２】
2005175398.tif 000014
【図１３】
2005175398.tif 000015
【図１４】
2005175398.tif 000016
【図１５】
2005175398.tif 000017
【図１６】
2005175398.tif 000018
【手続補正書】
【提出日】平成17年2月16日(2005.2.16)
【手続補正１】
【補正対象書類名】特許請求の範囲
【補正対象項目名】全文
【補正方法】変更
【補正の内容】
【特許請求の範囲】
【請求項１】
電子デバイスの表面に対向するよう近接配置された複数の冷却ノズルを有するノズルユニットと、
前記ノズルユニットに導入された冷媒に作用し、当該冷媒を前記冷却ノズルから噴射せしめる駆動ユニットと、
前記電子デバイスに対する座標情報を参照して、前記電子デバイスの表面における冷却すべき箇所の近傍と噴射軸が交わる冷却ノズルを前記複数の冷却ノズルのうちから選択し、選択した冷却ノズルから冷媒を噴射せしめるように前記駆動ユニットによる噴射駆動能力を制御する噴射駆動制御部と、
を備えることを特徴とする電子デバイス冷却装置。
【請求項２】
複数のプロセッサモジュールが集積された電子デバイスの表面に対向するよう近接配置された複数の冷却ノズルを有するノズルユニットと、
前記ノズルユニットに導入された冷媒に作用し、当該冷媒を前記冷却ノズルから噴射せしめる駆動ユニットと、
前記駆動ユニットによる噴射駆動能力を制御する噴射駆動制御部と、を備え、
前記複数の冷却ノズルは、前記電子デバイスに埋め込まれる前記複数のプロセッサモジュールの位置が噴射軸に対応するように近接配置されることを特徴とする電子デバイス冷却装置。
【請求項３】
電子デバイスの表面に対向するよう近接配置された複数の冷却ノズルを有するノズルユニットと、
前記ノズルユニットに導入された冷媒に作用し、当該冷媒を前記冷却ノズルから噴射せしめる駆動ユニットと、
前記駆動ユニットによる噴射駆動能力を制御する噴射駆動制御部と、を備え、
前記ノズルユニットは、主ノズル群と副ノズル群を含み、
前記主ノズル群と前記副ノズル群はともに、格子状に配置された複数の冷却ノズルを有し、
前記主ノズル群と前記副ノズル群は前記電子デバイスの表面に水平な方向においては、それぞれのノズル群をずらして配置したことを特徴とする電子デバイス冷却装置。
【請求項４】
前記主ノズル群と前記副ノズル群は前記電子デバイスの表面に垂直な方向においては段違いに置かれることを特徴とする請求項３に記載の電子デバイス冷却装置。
【請求項５】
前記電子デバイスの表面における熱分布状態を検知する熱分布検出センサを更に備え、
前記噴射駆動制御部は、前記検知した熱分布状態に応じて、前記駆動ユニットを制御することを特徴とする請求項１から３のいずれかに記載の電子デバイス冷却装置。
【請求項６】
前記噴射駆動制御部は、更に、前記検知した熱分布状態に応じて、前記駆動ユニットが前記冷却ノズルに冷媒を噴射せしめる冷媒噴射時間を制御することを特徴とする請求項５に記載の電子デバイス冷却装置。
【請求項７】
前記噴射駆動制御部は、最も冷却したい位置に対応する冷却ノズルから所期の方向に向けて順に冷却ノズルを噴射せしめるよう前記駆動ユニットを制御することを特徴とする請求項１から６のいずれかに記載の電子デバイス冷却装置。
【請求項８】
前記噴射駆動制御部は、前記所期の方向に向けて冷媒の脈流を形成させるよう前記駆動ユニットを制御することを特徴とする請求項７に記載の電子デバイス冷却装置。
【請求項９】
前記噴射駆動制御部は、前記形成した冷媒の脈流を、排熱孔に向かうよう、前記駆動ユニットを制御することを特徴とする請求項８に記載の電子デバイス冷却装置。
【請求項１０】
前記電子デバイスの表面における熱分布の時間的な状態変化を示す熱分布履歴情報を記憶する熱分布履歴情報格納部を更に備え、
前記噴射駆動制御部は、前記熱分布履歴情報に応じて、前記電子デバイスの表面における冷却すべき箇所の近傍と噴射軸が交わる冷却ノズルを前記複数の冷却ノズルのうちから選択することを特徴とする請求項１から３のいずれかに記載の電子デバイス冷却装置。
【請求項１１】
前記電子デバイスの表面における熱分布状態を予測する熱分布予測部を更に備え、
前記噴射駆動制御部は、前記予測した熱分布状態に応じて、前記駆動ユニットを制御することを特徴とする請求項１から５のいずれかに記載の電子デバイス冷却装置。
【請求項１２】
前記熱分布予測部は、前記電子デバイスが実行すべき内容に応じて、前記熱分布状態を予測することを特徴とする請求項１１に記載の電子デバイス冷却装置。
【請求項１３】
前記電子デバイスの表面における熱分布状態を検知する熱分布検出センサと、
前記検知した熱分布状態に応じて、前記選択した冷却ノズルの冷媒噴射タイミングを計算する噴射タイミング計算部を更に備え、
前記噴射駆動制御部は、前記選択した冷却ノズルについて、前記計算した冷媒噴射タイミングに応じて、前記駆動ユニットにより冷媒を噴射せしめることを特徴とする請求項１に記載の電子デバイス冷却装置。
【請求項１４】
電子デバイスの表面に対向するように近接配置された複数の冷却ノズルに冷媒が導入されるよう冷媒導入機構を制御するステップと、
前記電子デバイスの表面における冷却すべき箇所の近傍と噴射軸が交わる冷却ノズルを、前記電子デバイスに対する座標情報を参照して、前記複数の冷却ノズルのうちから選択するステップと、
前記冷却ノズルに近接配置された電子デバイスの表面に、前記選択された冷却ノズルから冷媒を噴射せしめるよう冷媒噴射機構を制御するステップと、
を含むことを特徴とする電子デバイス冷却方法。
【請求項１５】
複数の冷却ノズルに冷媒が導入されるよう冷媒導入機構を制御するステップと、
複数のプロセッサモジュールが集積された電子デバイスの表面において、前記電子デバイスに集積されたプロセッサモジュールからの発熱により発生する熱分布状態を熱センサの出力値により検知するステップと、
前記検知した熱分布状態に応じて、前記電子デバイスの表面の冷却すべき位置を特定するステップと、
前記特定した位置に対応した冷却ノズルを前記複数の冷却ノズルのうちから選択するステップと、
前記選択した冷却ノズルから冷媒を噴射せしめるよう冷媒噴射機構を制御するステップと、
を含むことを特徴とする電子デバイス冷却方法。
【請求項１６】
前記検知した熱分布状態に応じて、前記選択した冷却ノズルの冷媒噴射時間を計算するステップを更に含むことを特徴とする請求項１５に記載の電子デバイス冷却方法。
【請求項１７】
前記検知した熱分布状態に応じて、前記選択した冷却ノズルの冷媒噴射タイミングを計算するステップを更に含むことを特徴とする請求項１５に記載の電子デバイス冷却方法。
【請求項１８】
電子デバイスの表面に対向するように近接配置された複数の冷却ノズルに冷媒が導入されるよう冷媒導入機構を制御する機能と、
前記電子デバイスの表面における冷却すべき箇所の近傍と噴射軸が交わる冷却ノズルを、前記電子デバイスに対する座標情報を参照して、前記複数の冷却ノズルのうちから選択する機能と、
前記冷却ノズルに近接配置された電子デバイスの表面に、前記選択された冷却ノズルから冷媒を噴射せしめるよう冷媒噴射機構を制御する機能と、
をコンピュータに発揮させることを特徴とする電子デバイス冷却制御プログラム。
【請求項１９】
複数の冷却ノズルに冷媒が導入されるよう冷媒導入機構を制御する機能と、
複数のプロセッサモジュールが集積された電子デバイスの表面において、前記電子デバイスに集積されたプロセッサモジュールからの発熱により発生する熱分布状態の情報を熱センサの出力値により取得する機能と、
前記取得した熱分布状態の情報に応じて、前記電子デバイスの表面の冷却すべき位置を特定する機能と、
前記特定した位置に対応した冷却ノズルを前記複数の冷却ノズルのうちから選択する機能と、
前記選択した冷却ノズルから冷媒を噴射せしめるよう冷媒噴射機構を制御する機能と、
をコンピュータに発揮させることを特徴とする電子デバイス冷却制御プログラム。
【請求項２０】
前記取得した熱分布状態情報に応じて、前記選択した冷却ノズルの冷媒噴射時間を計算する機能を更に備え、
前記冷媒噴射機構は、前記計算した冷媒噴射時間に応じて冷媒を噴射せしめるよう制御されることを特徴とする請求項１９に記載の電子デバイス冷却制御プログラム。
【請求項２１】
前記取得した熱分布状態情報に応じて、前記選択した冷却ノズルの冷媒噴射タイミングを計算する機能を更に備え、
前記冷媒噴射機構は、前記計算した冷媒噴射タイミングに応じて冷媒を噴射せしめるよう制御されることを特徴とする請求項１９に記載の電子デバイス冷却制御プログラム。
【請求項２２】
コンピュータにて読取可能な記録媒体であって、
電子デバイスの表面に対向するように近接配置された複数の冷却ノズルに冷媒が導入されるよう冷媒導入機構を制御する機能と、
前記電子デバイスの表面における冷却すべき箇所の近傍と噴射軸が交わる冷却ノズルを、前記電子デバイスに対する座標情報を参照して、前記複数の冷却ノズルのうちから選択する機能と、
前記冷却ノズルに近接配置された電子デバイスの表面に、前記選択された冷却ノズルから冷媒を噴射せしめるよう冷媒噴射機構を制御する機能と、
をコンピュータに発揮させることを特徴とする電子デバイス冷却制御プログラムを格納した記録媒体。
【請求項２３】
コンピュータにて読み取り可能な記録媒体であって、
複数の冷却ノズルに冷媒が導入されるよう冷媒導入機構を制御する機能と、
複数のプロセッサモジュールが集積された電子デバイスの表面において、前記電子デバイスに集積されたプロセッサモジュールからの発熱により発生する熱分布状態の情報を熱センサの出力値により取得する機能と、
前記取得した熱分布状態の情報に応じて、前記電子デバイスの表面の冷却すべき位置を特定する機能と、
前記特定した位置に対応した冷却ノズルを前記複数の冷却ノズルのうちから選択する機能と、
前記選択した冷却ノズルから冷媒を噴射せしめるよう冷媒噴射機構を制御する機能と、
をコンピュータに発揮させることを特徴とする電子デバイス冷却制御プログラムを格納した記録媒体。
【請求項２４】
前記取得した熱分布状態情報に応じて、前記選択した冷却ノズルの冷媒噴射時間を計算する機能を更に備え、
前記冷媒噴射機構は、前記計算した冷媒噴射時間に応じて冷媒を噴射せしめるよう制御されることを特徴とする請求項２３に記載の電子デバイス冷却制御プログラムを格納した記録媒体。
【請求項２５】
前記取得した熱分布状態情報に応じて、前記選択した冷却ノズルの冷媒噴射タイミングを計算する機能を更に備え、
前記冷媒噴射機構は、前記計算した冷媒噴射タイミングに応じて冷媒を噴射せしめるよう制御されることを特徴とする請求項２３に記載の電子デバイス冷却制御プログラムを格納した記録媒体。
【請求項２６】
コンピュータにて読み取り可能な記録媒体であって、
複数のプロセッサモジュールが集積された電子デバイスが実行する処理の内容と、
前記処理の実行により前記電子デバイスに集積されたプロセッサモジュールからの発熱により発生する前記電子デバイス表面における熱分布状態をあらかじめ予測した熱分布予測情報と、
をそれぞれ対応づけて格納した記録媒体。